(57)【要約】【課題】画像形成装置の原稿忘れをモバイルデバイスに通知する。【解決手段】管理サーバーは、原稿セット通知を、画像形成装置から受信し、ビーコン受信通知を、モバイルデバイスを含む１以上のモバイルデバイスからそれぞれ、定期的に受信し、受信した１以上のビーコン受信通知に含まれる電波強度のうち、最も高い電波強度を含むビーコン受信通知に含まれる識別子により識別されるモバイルデバイスを、管理モバイルデバイスとして登録し、原稿セット解除通知を、画像形成装置から受信するより前に、管理モバイルデバイスから定期的に受信するビーコン受信通知に含まれる電波強度が閾値より低くなると、原稿忘れ通知を、管理モバイルデバイスに送信する。【選択図】図８
2019129334.tif 000002
【特許請求の範囲】
【請求項１】
画像形成装置と、
モバイルデバイスと、
管理サーバーと
を具備する管理システムであって、
前記画像形成装置は、
イメージスキャナーに原稿がセットされたことを検出するセンサーと、
ビーコンを発信することが可能なビーコン送信機と、
ネットワークに接続された前記管理サーバーと通信するための第１の通信インターフェースと、
第１のプロセッサーとを有し、
前記モバイルデバイスは、
前記ビーコンを受信することが可能なビーコン受信機と、
前記ネットワークに接続された前記管理サーバーと通信するための第２の通信インターフェースと、
第２のプロセッサーとを有し、
前記管理サーバーは、
前記ネットワークに接続された前記画像形成装置及び前記モバイルデバイスと通信するための第３の通信インターフェースと
第３のプロセッサーとを有し、
前記画像形成装置の前記第１のプロセッサーは、第１の情報処理プログラムを実行することにより、
前記センサーが前記原稿がセットされたことを検出すると、前記第１の通信インターフェースを用いて、原稿セット通知を、前記管理サーバーに送信し、
前記ビーコン送信機を用いて、前記センサーが前記原稿を検出している期間中定期的に、前記ビーコンを発信し、
前記センサーが前記原稿が除去されたことを検出すると、前記第１の通信インターフェースを用いて、原稿セット解除通知を、前記管理サーバーに送信し、
前記モバイルデバイスの前記第２のプロセッサーは、第２の情報処理プログラムを実行することにより、
前記ビーコン受信機を用いて、前記期間中定期的に前記ビーコンを受信し、
前記第２の通信インターフェースを用いて、前記モバイルデバイスを一意に識別可能な識別子及び受信した前記ビーコンの電波強度を含むビーコン受信通知を、前記管理サーバーに、前記期間中定期的に送信し、
前記管理サーバーの前記第３のプロセッサーは、第３の情報処理プログラムを実行することにより、
前記第３の通信インターフェースを用いて、前記原稿セット通知を、前記画像形成装置から受信し、
前記第３の通信インターフェースを用いて、前記ビーコン受信通知を、前記モバイルデバイスを含む１以上のモバイルデバイスからそれぞれ、前記期間中定期的に受信し、
受信した１以上の前記ビーコン受信通知に含まれる前記電波強度のうち、最も高い電波強度を含むビーコン受信通知に含まれる識別子により識別されるモバイルデバイスを、管理モバイルデバイスとして登録し、
前記第３の通信インターフェースを用いて、前記原稿セット解除通知を、前記画像形成装置から受信するより前に、前記管理モバイルデバイスから定期的に受信する前記ビーコン受信通知に含まれる前記電波強度が閾値より低くなると、前記第３の通信インターフェースを用いて、原稿忘れ通知を、前記管理モバイルデバイスに送信する
管理システム。
【請求項２】
請求項１に記載の管理システムであって、
前記管理サーバーの前記第３のプロセッサーは、前記第３の情報処理プログラムを実行することにより、さらに、
前記第３の通信インターフェースを用いて、前記原稿セット解除通知を、前記画像形成装置から受信すると、前記管理モバイルデバイスの登録を解除する
管理システム。
【請求項３】
イメージスキャナーに原稿がセットされたことを検出するセンサーと、ビーコンを発信することが可能なビーコン送信機と、第１の通信インターフェースと、第１のプロセッサーとを有する画像形成装置と、前記ビーコンを受信することが可能なビーコン受信機と、第２の通信インターフェースと、第２のプロセッサーとを有するモバイルデバイスと通信するための第３の通信インターフェースと、
第３のプロセッサーと
を具備する管理サーバーであって、
前記画像形成装置の前記第１のプロセッサーは、第１の情報処理プログラムを実行することにより、
前記センサーが前記原稿がセットされたことを検出すると、前記第１の通信インターフェースを用いて、原稿セット通知を、前記管理サーバーに送信し、
前記ビーコン送信機を用いて、前記センサーが前記原稿を検出している期間中定期的に、前記ビーコンを発信し、
前記センサーが前記原稿が除去されたことを検出すると、前記第１の通信インターフェースを用いて、原稿セット解除通知を、前記管理サーバーに送信し、
前記モバイルデバイスの前記第２のプロセッサーは、第２の情報処理プログラムを実行することにより、
前記ビーコン受信機を用いて、前記期間中定期的に前記ビーコンを受信し、
前記第２の通信インターフェースを用いて、前記モバイルデバイスを一意に識別可能な識別子及び受信した前記ビーコンの電波強度を含むビーコン受信通知を、前記管理サーバーに、前記期間中定期的に送信し、
前記管理サーバーの前記第３のプロセッサーは、第３の情報処理プログラムを実行することにより、
前記第３の通信インターフェースを用いて、前記原稿セット通知を、前記画像形成装置から受信し、
前記第３の通信インターフェースを用いて、前記ビーコン受信通知を、前記モバイルデバイスを含む１以上のモバイルデバイスからそれぞれ、前記期間中定期的に受信し、
受信した１以上の前記ビーコン受信通知に含まれる前記電波強度のうち、最も高い電波強度を含むビーコン受信通知に含まれる識別子により識別されるモバイルデバイスを、管理モバイルデバイスとして登録し、
前記第３の通信インターフェースを用いて、前記原稿セット解除通知を、前記画像形成装置から受信するより前に、前記管理モバイルデバイスから定期的に受信する前記ビーコン受信通知に含まれる前記電波強度が閾値より低くなると、前記第３の通信インターフェースを用いて、原稿忘れ通知を、前記管理モバイルデバイスに送信する
管理サーバー。
【請求項４】
請求項３に記載の管理サーバーであって、
前記管理サーバーの前記第３のプロセッサーは、前記第３の情報処理プログラムを実行することにより、さらに、
前記第３の通信インターフェースを用いて、前記原稿セット解除通知を、前記画像形成装置から受信すると、前記管理モバイルデバイスの登録を解除する
管理サーバー。
【請求項５】
イメージスキャナーに原稿がセットされたことを検出するセンサーと、ビーコンを発信することが可能なビーコン送信機と、第１の通信インターフェースと、第１のプロセッサーとを有する画像形成装置と、前記ビーコンを受信することが可能なビーコン受信機と、第２の通信インターフェースと、第２のプロセッサーとを有するモバイルデバイスと通信するための第３の通信インターフェースと、
第３のプロセッサーと
を具備する管理サーバーの前記第３のプロセッサーにより実行される情報処理プログラムであって、
前記画像形成装置の前記第１のプロセッサーは、
前記センサーが前記原稿がセットされたことを検出すると、前記第１の通信インターフェースを用いて、原稿セット通知を、前記管理サーバーに送信し、
前記ビーコン送信機を用いて、前記センサーが前記原稿を検出している期間中定期的に、前記ビーコンを発信し、
前記センサーが前記原稿が除去されたことを検出すると、前記第１の通信インターフェースを用いて、原稿セット解除通知を、前記管理サーバーに送信し、
前記モバイルデバイスの前記第２のプロセッサーは、
前記ビーコン受信機を用いて、前記期間中定期的に前記ビーコンを受信し、
前記第２の通信インターフェースを用いて、前記モバイルデバイスを一意に識別可能な識別子及び受信した前記ビーコンの電波強度を含むビーコン受信通知を、前記管理サーバーに、前記期間中定期的に送信し、
前記管理サーバーの前記第３のプロセッサーは、前記情報処理プログラムを実行することにより、
前記第３の通信インターフェースを用いて、前記原稿セット通知を、前記画像形成装置から受信し、
前記第３の通信インターフェースを用いて、前記ビーコン受信通知を、前記モバイルデバイスを含む１以上のモバイルデバイスからそれぞれ、前記期間中定期的に受信し、
受信した１以上の前記ビーコン受信通知に含まれる前記電波強度のうち、最も高い電波強度を含むビーコン受信通知に含まれる識別子により識別されるモバイルデバイスを、管理モバイルデバイスとして登録し、
前記第３の通信インターフェースを用いて、前記原稿セット解除通知を、前記画像形成装置から受信するより前に、前記管理モバイルデバイスから定期的に受信する前記ビーコン受信通知に含まれる前記電波強度が閾値より低くなると、前記第３の通信インターフェースを用いて、原稿忘れ通知を、前記管理モバイルデバイスに送信する
情報処理プログラム。
【請求項６】
請求項５に記載の情報処理プログラムであって、
前記管理サーバーの前記第３のプロセッサーは、前記第３の情報処理プログラムを実行することにより、さらに、
前記第３の通信インターフェースを用いて、前記原稿セット解除通知を、前記画像形成装置から受信すると、前記管理モバイルデバイスの登録を解除する
情報処理プログラム。
【発明の詳細な説明】
【技術分野】
【０００１】
本発明は、画像形成装置の原稿忘れを管理する管理システム、管理サーバー及び情報処理プログラムに関する。
に関する。
【背景技術】
【０００２】
画像形成装置の原稿忘れをユーザーのモバイルデバイスに通知する技術が知られている。
【先行技術文献】
【特許文献】
【０００３】
【特許文献１】特開２０１６−１１１５５３号公報
【特許文献２】特開２０１３−７４３３３号公報
【発明の概要】
【発明が解決しようとする課題】
【０００４】
条件に拠らず確実に、画像形成装置の原稿忘れをユーザーのモバイルデバイスに通知することが望ましい。
【課題を解決するための手段】
【０００５】
本発明の一形態に係る管理システムは、
画像形成装置と、
モバイルデバイスと、
管理サーバーと
を具備する管理システムであって、
前記画像形成装置は、
イメージスキャナーに原稿がセットされたことを検出するセンサーと、
ビーコンを発信することが可能なビーコン送信機と、
ネットワークに接続された前記管理サーバーと通信するための第１の通信インターフェースと、
第１のプロセッサーとを有し、
前記モバイルデバイスは、
前記ビーコンを受信することが可能なビーコン受信機と、
前記ネットワークに接続された前記管理サーバーと通信するための第２の通信インターフェースと、
第２のプロセッサーとを有し、
前記管理サーバーは、
前記ネットワークに接続された前記画像形成装置及び前記モバイルデバイスと通信するための第３の通信インターフェースと
第３のプロセッサーとを有し、
前記画像形成装置の前記第１のプロセッサーは、第１の情報処理プログラムを実行することにより、
前記センサーが前記原稿がセットされたことを検出すると、前記第１の通信インターフェースを用いて、原稿セット通知を、前記管理サーバーに送信し、
前記ビーコン送信機を用いて、前記センサーが前記原稿を検出している期間中定期的に、前記ビーコンを発信し、
前記センサーが前記原稿が除去されたことを検出すると、前記第１の通信インターフェースを用いて、原稿セット解除通知を、前記管理サーバーに送信し、
前記モバイルデバイスの前記第２のプロセッサーは、第２の情報処理プログラムを実行することにより、
前記ビーコン受信機を用いて、前記期間中定期的に前記ビーコンを受信し、
前記第２の通信インターフェースを用いて、前記モバイルデバイスを一意に識別可能な識別子及び受信した前記ビーコンの電波強度を含むビーコン受信通知を、前記管理サーバーに、前記期間中定期的に送信し、
前記管理サーバーの前記第３のプロセッサーは、第３の情報処理プログラムを実行することにより、
前記第３の通信インターフェースを用いて、前記原稿セット通知を、前記画像形成装置から受信し、
前記第３の通信インターフェースを用いて、前記ビーコン受信通知を、前記モバイルデバイスを含む１以上のモバイルデバイスからそれぞれ、前記期間中定期的に受信し、
受信した１以上の前記ビーコン受信通知に含まれる前記電波強度のうち、最も高い電波強度を含むビーコン受信通知に含まれる識別子により識別されるモバイルデバイスを、管理モバイルデバイスとして登録し、
前記第３の通信インターフェースを用いて、前記原稿セット解除通知を、前記画像形成装置から受信するより前に、前記管理モバイルデバイスから定期的に受信する前記ビーコン受信通知に含まれる前記電波強度が閾値より低くなると、前記第３の通信インターフェースを用いて、原稿忘れ通知を、前記管理モバイルデバイスに送信する。
【０００６】
本形態によれば、管理サーバーは、１以上のモバイルデバイスから受信した１以上のビーコン受信通知に含まれる電波強度のうち、最も高い電波強度を受信したモバイルデバイスを、管理モバイルデバイスとする。従って、画像形成装置の条件（ログイン認証が不要等）に拠らず、画像形成装置を利用するユーザーのモバイルデバイスを特定できる。また、管理サーバーは、画像形成装置から原稿セット通知受信後及び原稿セット解除通知受信前に、モバイルデバイスからのビーコン受信通知に含まれる電波強度が低くなることを判断することで、原稿忘れを判断できる。画像形成装置は、原稿セット通知及び原稿セット解除通知を管理サーバーに送信し、その他は、原稿がセットされている期間中、ビーコンを定期的に発信するだけである。これにより、画像形成装置のリソース消費量の増加の抑制を図り、画像形成装置のプロセッサー負荷の増加の抑制を図れる。
【０００７】
前記管理サーバーの前記第３のプロセッサーは、前記第３の情報処理プログラムを実行することにより、さらに、
前記第３の通信インターフェースを用いて、前記原稿セット解除通知を、前記画像形成装置から受信すると、前記管理モバイルデバイスの登録を解除する。
【０００８】
本形態によれば、管理サーバーは、画像形成装置から原稿セット通知を受信し、原稿セット解除通知を受信することで、画像形成装置を使用するユーザーのモバイルデバイスを一義的に判断できる。
【０００９】
本発明の一形態に係る管理サーバーは、
イメージスキャナーに原稿がセットされたことを検出するセンサーと、ビーコンを発信することが可能なビーコン送信機と、第１の通信インターフェースと、第１のプロセッサーとを有する画像形成装置と、前記ビーコンを受信することが可能なビーコン受信機と、第２の通信インターフェースと、第２のプロセッサーとを有するモバイルデバイスと通信するための第３の通信インターフェースと、
第３のプロセッサーと
を具備する管理サーバーであって、
前記画像形成装置の前記第１のプロセッサーは、第１の情報処理プログラムを実行することにより、
前記センサーが前記原稿がセットされたことを検出すると、前記第１の通信インターフェースを用いて、原稿セット通知を、前記管理サーバーに送信し、
前記ビーコン送信機を用いて、前記センサーが前記原稿を検出している期間中定期的に、前記ビーコンを発信し、
前記センサーが前記原稿が除去されたことを検出すると、前記第１の通信インターフェースを用いて、原稿セット解除通知を、前記管理サーバーに送信し、
前記モバイルデバイスの前記第２のプロセッサーは、第２の情報処理プログラムを実行することにより、
前記ビーコン受信機を用いて、前記期間中定期的に前記ビーコンを受信し、
前記第２の通信インターフェースを用いて、前記モバイルデバイスを一意に識別可能な識別子及び受信した前記ビーコンの電波強度を含むビーコン受信通知を、前記管理サーバーに、前記期間中定期的に送信し、
前記管理サーバーの前記第３のプロセッサーは、第３の情報処理プログラムを実行することにより、
前記第３の通信インターフェースを用いて、前記原稿セット通知を、前記画像形成装置から受信し、
前記第３の通信インターフェースを用いて、前記ビーコン受信通知を、前記モバイルデバイスを含む１以上のモバイルデバイスからそれぞれ、前記期間中定期的に受信し、
受信した１以上の前記ビーコン受信通知に含まれる前記電波強度のうち、最も高い電波強度を含むビーコン受信通知に含まれる識別子により識別されるモバイルデバイスを、管理モバイルデバイスとして登録し、
前記第３の通信インターフェースを用いて、前記原稿セット解除通知を、前記画像形成装置から受信するより前に、前記管理モバイルデバイスから定期的に受信する前記ビーコン受信通知に含まれる前記電波強度が閾値より低くなると、前記第３の通信インターフェースを用いて、原稿忘れ通知を、前記管理モバイルデバイスに送信する。
【００１０】
前記管理サーバーの前記第３のプロセッサーは、前記第３の情報処理プログラムを実行することにより、さらに、
前記第３の通信インターフェースを用いて、前記原稿セット解除通知を、前記画像形成装置から受信すると、前記管理モバイルデバイスの登録を解除する。
【００１１】
本発明の一形態に係る情報処理プログラムは、
イメージスキャナーに原稿がセットされたことを検出するセンサーと、ビーコンを発信することが可能なビーコン送信機と、第１の通信インターフェースと、第１のプロセッサーとを有する画像形成装置と、前記ビーコンを受信することが可能なビーコン受信機と、第２の通信インターフェースと、第２のプロセッサーとを有するモバイルデバイスと通信するための第３の通信インターフェースと、
第３のプロセッサーと
を具備する管理サーバーの前記第３のプロセッサーにより実行される情報処理プログラムであって、
前記画像形成装置の前記第１のプロセッサーは、
前記センサーが前記原稿がセットされたことを検出すると、前記第１の通信インターフェースを用いて、原稿セット通知を、前記管理サーバーに送信し、
前記ビーコン送信機を用いて、前記センサーが前記原稿を検出している期間中定期的に、前記ビーコンを発信し、
前記センサーが前記原稿が除去されたことを検出すると、前記第１の通信インターフェースを用いて、原稿セット解除通知を、前記管理サーバーに送信し、
前記モバイルデバイスの前記第２のプロセッサーは、
前記ビーコン受信機を用いて、前記期間中定期的に前記ビーコンを受信し、
前記第２の通信インターフェースを用いて、前記モバイルデバイスを一意に識別可能な識別子及び受信した前記ビーコンの電波強度を含むビーコン受信通知を、前記管理サーバーに、前記期間中定期的に送信し、
前記管理サーバーの前記第３のプロセッサーは、前記情報処理プログラムを実行することにより、
前記第３の通信インターフェースを用いて、前記原稿セット通知を、前記画像形成装置から受信し、
前記第３の通信インターフェースを用いて、前記ビーコン受信通知を、前記モバイルデバイスを含む１以上のモバイルデバイスからそれぞれ、前記期間中定期的に受信し、
受信した１以上の前記ビーコン受信通知に含まれる前記電波強度のうち、最も高い電波強度を含むビーコン受信通知に含まれる識別子により識別されるモバイルデバイスを、管理モバイルデバイスとして登録し、
前記第３の通信インターフェースを用いて、前記原稿セット解除通知を、前記画像形成装置から受信するより前に、前記管理モバイルデバイスから定期的に受信する前記ビーコン受信通知に含まれる前記電波強度が閾値より低くなると、前記第３の通信インターフェースを用いて、原稿忘れ通知を、前記管理モバイルデバイスに送信する。
【００１２】
前記管理サーバーの前記第３のプロセッサーは、前記第３の情報処理プログラムを実行することにより、さらに、
前記第３の通信インターフェースを用いて、前記原稿セット解除通知を、前記画像形成装置から受信すると、前記管理モバイルデバイスの登録を解除する。
【発明の効果】
【００１３】
本発明によれば、条件に拠らず確実に、画像形成装置の原稿忘れをユーザーのモバイルデバイスに通知することが図れる。
【００１４】
なお、ここに記載された効果は必ずしも限定されるものではなく、本発明中に記載されたいずれかの効果であってもよい。
【図面の簡単な説明】
【００１５】
【図１】本発明の一実施形態に係る管理システムを示す。
【図２】画像形成装置のハードウェア構成を示す。
【図３】モバイルデバイスのハードウェア構成を示す。
【図４】管理サーバーのハードウェア構成を示す。
【図５】管理システムの機能的構成を示す。
【図６】画像形成装置の動作フローを示す。
【図７】モバイルデバイスの第１の動作フローを示す。
【図８】管理サーバーの動作フローを示す。
【図９】モバイルデバイスの第２の動作フローを示す。
【発明を実施するための形態】
【００１６】
以下、図面を参照しながら、本発明の実施形態を説明する。
【００１７】
１．管理システム
【００１８】
図１は、本発明の一実施形態に係る管理システムを示す。
【００１９】
管理システムは、画像形成装置１０と、モバイルデバイス２０と、管理サーバー３０とを具備する。
【００２０】
画像形成装置１０は、例えば、ＭＦＰ（Multifunction Peripheral）であり、以下ＭＦＰ１０と称する。ＭＦＰ１０は、原稿（用紙）から画像を読み取り可能なイメージスキャナーを、少なくとも有する。画像形成装置１０は、ネットワークＮに接続される。画像形成装置１０は、ビーコン、即ち、ＢＬＥ（Bluetooth（登録商標）Low Energy）信号を発信する。
【００２１】
モバイルデバイス２０は、例えば、スマートフォン、ウェアラブルデバイス等、ＭＦＰ１０のユーザー（エンドユーザー）が常時携帯することが想定されるデバイスである。モバイルデバイス２０は、ネットワークＮに接続される。モバイルデバイス２０は、ビーコンを受信する。
【００２２】
管理サーバー３０は、典型的なパーソナルコンピューター等の情報処理装置である。管理サーバー３０は、ネットワークＮに接続される。
【００２３】
２．画像形成装置のハードウェア構成
【００２４】
図２は、画像形成装置のハードウェア構成を示す。
【００２５】
ＭＦＰ１０は、制御部１１を備える。制御部１１は、プロセッサーであるＣＰＵ（Central Processing Unit）（第１のプロセッサー）、ＲＡＭ（Random Access Memory）、メモリーであるＲＯＭ（Read Only Memory）及び専用のハードウェア回路等から構成され、ＭＦＰ１０の全体的な動作制御を司る。ＭＦＰ１０を各機能部（後述）として機能させるコンピュータープログラムは、ＲＯＭ等の非一過性のコンピューター読み取り可能な記憶媒体に記憶される。
【００２６】
制御部１１は、画像読取部１２、画像処理部１４、画像メモリー１５、画像形成部１６、操作部１７、記憶装置１８、ネットワーク通信インターフェース１３（第１の通信インターフェース）及びビーコン送信機１９等と接続されている。制御部１１は、接続されている上記各部の動作制御や、各部との間での信号又はデータの送受信を行う。
【００２７】
制御部１１は、ユーザーから、操作部１７またはネットワーク接続されたパーソナルコンピュータ（図示せず）等を通じて入力されるジョブの実行指示に従って、スキャナー機能、印刷機能及びコピー機能などの各機能についての動作制御を実行するために必要な機構の駆動及び処理を制御する。
【００２８】
画像読取部１２は、原稿から画像を読み取るイメージスキャナーである。センサー１２ａは、画像読取部１２（イメージスキャナー）に原稿がセットされたことを、光学的又は機械的に検出する。
【００２９】
画像処理部１４は、画像読取部１２で読み取られた画像の画像データを必要に応じて画像処理する。例えば、画像処理部１４は、画像読取部１２により読み取られた画像が画像形成された後の品質を向上させるために、シェーディング補正等の画像処理を行う。
【００３０】
画像メモリー１５は、画像読取部１２による読み取りで得られた原稿画像のデータを一時的に記憶したり、画像形成部１６での印刷対象となるデータを一時的に記憶したりする領域を有する。
【００３１】
画像形成部１６（プリンター）は、画像読取部１２で読み取られた画像データ等の画像形成を行う。
【００３２】
操作部１７は、ＭＦＰ１０が実行可能な各種動作及び処理についてユーザーからの指示を受け付けるタッチパネル部および操作キー部を備える。タッチパネル部は、タッチパネルが設けられたＬＣＤ（Liquid Crystal Display）や有機ＥＬ（Electroluminescence）ディスプレイ等の表示部１７ａを備えている。
【００３３】
ネットワーク通信インターフェース１３は、ネットワークＮに接続するためのインターフェースである。
【００３４】
記憶装置１８は、画像読取部１２によって読み取られた原稿画像等を記憶する、ＨＤＤ（Hard Disk Drive）などの大容量の記憶装置である。記憶装置１８は、着脱可能に接続されるモバイルの記憶媒体（例えば、ＵＳＢ（Universal Serial Bus）メモリー）及びそのインターフェースをさらに有してもよい。
【００３５】
ビーコン送信機１９は、ＢＬＥ（Bluetooth（登録商標）Low Energy）の規格に準拠したビーコンを送信する。
【００３６】
３．モバイルデバイスのハードウェア構成
【００３７】
図３は、モバイルデバイスのハードウェア構成を示す。
【００３８】
モバイルデバイス２０は、ＣＰＵ２１（第２のプロセッサー）、ＲＯＭ２２、ＲＡＭ２３、記憶装置２４、ネットワーク通信インターフェース２５（第２の通信インターフェース）、操作装置２６、表示装置２７及びビーコン受信機２９と、これらを相互に接続するバス２８とを有する。
【００３９】
ＣＰＵ２１（制御部）は、ＲＯＭ２２が記憶する情報処理プログラムをＲＡＭ２３にロードして実行する。ＲＯＭ２２は、ＣＰＵ２１が実行するプログラムやデータなどを固定的に記憶する。ＲＯＭ２２は、非一過性のコンピューター読み取り可能な記録媒体の一例である。
【００４０】
記憶装置２４は、ＳＳＤ（Solid State Drive）等の大容量の記録媒体である。
【００４１】
ネットワーク通信インターフェース２５は、ネットワークＮに接続するためのインターフェースである。
【００４２】
操作装置２６は、タッチパネル及び各種スイッチ等を含む。操作装置２６は、ユーザーからの操作を検出してＣＰＵ２１に出力する。
【００４３】
表示装置２７は、ＬＣＤや有機ＥＬディスプレイ等を含む。表示装置２７は、ＣＰＵ２１から受け取った情報に基づいて演算処理を行い、生成した画像信号を画面に表示する。
【００４４】
ビーコン受信機２９は、ＢＬＥ（Bluetooth（登録商標）Low Energy）の規格に準拠したビーコンを受信する。
【００４５】
４．管理サーバーのハードウェア構成
【００４６】
図４は、管理サーバーのハードウェア構成を示す。
【００４７】
管理サーバー３０は、ＣＰＵ３１（第３のプロセッサー）、ＲＯＭ３２、ＲＡＭ３３、記憶装置３４、ネットワーク通信インターフェース３５（第３の通信インターフェース）、操作装置３６及び表示装置３７と、これらを相互に接続するバス３８とを有する。
【００４８】
ＣＰＵ３１は、ＲＯＭ３２が記憶する情報処理プログラムをＲＡＭ３３にロードして実行する。ＲＯＭ３２は、ＣＰＵ３１が実行するプログラムやデータなどを固定的に記憶する。ＲＯＭ３２は、非一過性のコンピューター読み取り可能な記録媒体の一例である。
【００４９】
記憶装置３４は、ＨＤＤ（Hard Disk Drive）やＳＳＤ（Solid State Drive）等の大容量の記録媒体である。
【００５０】
ネットワーク通信インターフェース３５は、ネットワークＮに接続するためのインターフェースである。
【００５１】
操作装置３６は、タッチパネル、キーボード、マウス及び各種スイッチ等を含む。操作装置３６は、ユーザーからの操作を検出してＣＰＵ３１に出力する。
【００５２】
表示装置３７は、ＬＣＤや有機ＥＬディスプレイ等を含む。表示装置３７は、ＣＰＵ３１から受け取った情報に基づいて演算処理を行い、生成した画像信号を画面に表示する。表示装置３７は外付けの表示装置でもよい。
【００５３】
５．管理システムの機能的構成
【００５４】
図５は、管理システムの機能的構成を示す。
【００５５】
ＭＦＰ１０の制御部１１のＣＰＵは、情報処理プログラムを実行することにより、原稿セット管理部１０１及びビーコン制御部１０２として動作する。
【００５６】
モバイルデバイス２０のＣＰＵ２１は、情報処理プログラムを実行することにより、ビーコン受信通知送信部２０１及び原稿忘れ通知受信部２０２として動作する。
【００５７】
管理サーバー３０のＣＰＵ３１は、情報処理プログラムを実行することにより、原稿管理制御部３０１、ユーザー管理部３０２、距離判断部３０３及び原稿忘れ通知送信部３０４として動作する。
【００５８】
ＭＦＰ１０の原稿セット管理部１０１は、センサー１２ａが原稿を検出すると、原稿セット通知を生成し、ネットワーク通信インターフェース１３を用いて管理サーバー３０に送信する。
【００５９】
ＭＦＰ１０のビーコン制御部１０２は、ビーコン送信機１９を制御して、センサー１２ａが原稿を検出している期間中、定期的に、ビーコンを発信する。
【００６０】
モバイルデバイス２０のビーコン受信通知送信部２０１は、ビーコン受信機２９がビーコンを受信する度に、ビーコン受信通知を生成し、ネットワーク通信インターフェース２５を用いて管理サーバー３０に送信する。
【００６１】
管理サーバー３０の原稿管理制御部３０１は、ネットワーク通信インターフェース３５を用いて、原稿セット通知を、ＭＦＰ１０から受信すると、原稿管理処理を開始する。原稿管理制御部３０１は、ネットワーク通信インターフェース３５を用いて、原稿セット解除通知を、ＭＦＰ１０から受信すると、原稿管理処理を終了する。
【００６２】
管理サーバー３０のユーザー管理部３０２は、ネットワーク通信インターフェース３５を用いて、ビーコン受信通知を、モバイルデバイス２０を含む１以上のモバイルデバイスからそれぞれ、一定期間受信する。ユーザー管理部３０２は、１以上のモバイルデバイスからそれぞれ受信した１以上のビーコン受信通知のうち、最も高いビーコン電波強度を含むビーコン受信通知を判断する。
【００６３】
管理サーバー３０の距離判断部３０３は、ネットワーク通信インターフェース３５を用いて、モバイルデバイス２０から、ビーコン受信通知を定期的に受信する。距離判断部３０３が、モバイルデバイス２０から定期的に受信するビーコン受信通知に含まれるビーコン電波強度が閾値より低くなることを判断する。
【００６４】
管理サーバー３０の原稿忘れ通知送信部３０４は、原稿忘れ通知を生成し、ネットワーク通信インターフェース３５を用いてモバイルデバイス２０に送信する。
【００６５】
モバイルデバイス２０の原稿忘れ通知受信部２０２は、原稿忘れ通知を、ネットワーク通信インターフェース２５を用いて管理サーバー３０から受信すると、原稿忘れ通知のメッセージを、表示装置２７に表示する。
【００６６】
６．管理システムの動作フロー
【００６７】
前提として、ユーザー（エンドユーザー）は、モバイルデバイス２０を携帯し、ＭＦＰ１０の画像読取部１２（イメージスキャナー）に原稿（用紙）をセットする（置く）。
【００６８】
図６は、画像形成装置の動作フローを示す。
【００６９】
ＭＦＰ１０のセンサー１２ａは、画像読取部１２に原稿がセットされたことを検出する（ステップＳ１０１、Ｙｅｓ）。すると、原稿セット管理部１０１は、原稿セット通知を生成し、ネットワーク通信インターフェース１３を用いて管理サーバー３０に送信する（ステップＳ１０２）。「原稿セット通知」は、ＭＦＰ１０を一意に識別する識別情報を少なくとも含む。ビーコン制御部１０２は、センサー１２ａが原稿を検出すると、ビーコン送信機１９を制御して、ビーコンを発信し始める（ステップＳ１０３）。ビーコン制御部１０２は、センサー１２ａが原稿を検出している期間中、定期的に（ステップＳ１０４のループ）、ビーコンを発信する。
【００７０】
図７は、モバイルデバイスの第１の動作フローを示す。
【００７１】
モバイルデバイス２０のビーコン受信機２９は、ＭＦＰ１０からビーコンを受信し始め、定期的にビーコンを受信する（ステップＳ２０１）。ビーコン受信通知送信部２０１は、ビーコン受信機２９がビーコンを受信する度に（ステップＳ２０３、Ｎｏ）、ビーコン受信通知を生成する。ビーコン受信通知は、モバイルデバイス２０を一意に識別可能な識別子及び受信したビーコンの強度を含む。ビーコン受信通知送信部２０１は、生成したビーコン受信通知を、ネットワーク通信インターフェース２５を用いて、管理サーバー３０に、定期的に送信する（ステップＳ２０２）。
【００７２】
その後、モバイルデバイス２０のビーコン受信通知送信部２０１は、ビーコン受信機２９がビーコンを受信しなくなれば（ステップＳ２０３、Ｙｅｓ）、ビーコン受信通知の生成及び送信を止める。「ビーコンを受信しない」とは、ＭＦＰ１０がビーコンの送信を止めた状態（後述）、あるいは、モバイルデバイス２０を携帯するユーザーがＭＦＰ１０から離れて行き、モバイルデバイス２０がＭＦＰ１０からのビーコンを受信し得ない状態である。
【００７３】
図８は、管理サーバーの動作フローを示す。
【００７４】
管理サーバー３０の原稿管理制御部３０１は、ネットワーク通信インターフェース３５を用いて、原稿セット通知を、ＭＦＰ１０から受信すると、以下の原稿管理処理を開始する（ステップＳ３０１）。
【００７５】
管理サーバー３０のユーザー管理部３０２は、ネットワーク通信インターフェース３５を用いて、ビーコン受信通知を、モバイルデバイス２０を含む１以上のモバイルデバイスからそれぞれ、一定期間（５〜１０秒前後）受信する（ステップＳ３０２）。「モバイルデバイス２０を含む１以上のモバイルデバイス」は、ＭＦＰ１０からのビーコンを受信した１以上のモバイルデバイスである。つまり、ＭＦＰ１０から所定の距離範囲（ビーコンを受信可能距離範囲）内に存在するモバイルデバイスである。「ビーコン受信通知」は、モバイルデバイス２０を一意に識別可能な識別子及び受信したビーコンの強度を含む。ユーザー管理部３０２は、１以上のモバイルデバイスからそれぞれ受信した１以上のビーコン受信通知のうち、最も高い強度を含むビーコン受信通知を判断する。ユーザー管理部３０２は、判断したビーコン受信通知に含まれるモバイルデバイス２０の識別子を、管理モバイルデバイス３１１として記憶装置３４に登録する（ステップＳ３０３）。受信したビーコンの強度が最も高いモバイルデバイス２０は、ＭＦＰ１０から最も近いユーザー、要するに、ＭＦＰ１０に原稿をセットしたユーザーが携帯するモバイルデバイス２０である。
【００７６】
管理サーバー３０の距離判断部３０３は、ネットワーク通信インターフェース３５を用いて、モバイルデバイス２０（管理モバイルデバイス３１１として登録したモバイルデバイス。以下同じ）がビーコンを受信する度に（ステップＳ３０４のループ）、モバイルデバイス２０から、ビーコン受信通知を受信する。距離判断部３０３は、ビーコン受信通知が含むビーコンのビーコン電波強度３１２を、ＲＡＭ３３に登録する（ステップＳ３０５）。
【００７７】
一方、ＭＦＰ１０のセンサー１２ａが、原稿が除去された（ユーザーが原稿を取り除いた）ことを検出すると（ステップＳ１０５、Ｎｏ）、ビーコン制御部１０２は、ビーコン送信機１９を用いたビーコンの発信を止める（ステップＳ１０６）。原稿セット管理部１０１は、原稿セット解除通知を生成し、ネットワーク通信インターフェース１３を用いて管理サーバー３０に送信する（ステップＳ１０７）。「原稿セット解除通知」は、ＭＦＰ１０を一意に識別する識別情報を少なくとも含む。
【００７８】
管理サーバー３０の原稿管理制御部３０１は、ネットワーク通信インターフェース３５を用いて、原稿セット解除通知を、ＭＦＰ１０から受信すると、モバイルデバイス２０の登録を解除（記憶装置３４に登録した識別子を削除）し、原稿管理処理を終了する（ステップＳ３０８）。
【００７９】
一方、原稿セット解除通知を受信するより前に、管理サーバー３０の距離判断部３０３が、モバイルデバイス２０から定期的に受信するビーコン受信通知に含まれるビーコン電波強度３１２が閾値より低くなることを判断する（ステップＳ３０６、Ｙｅｓ）。これは、ユーザーがＭＦＰ１０から原稿を取り除く前に、モバイルデバイス２０を携帯するユーザーがＭＦＰ１０から離れて行った状態である。従って、管理サーバー３０の原稿忘れ通知送信部３０４は、原稿忘れ通知を生成し、ネットワーク通信インターフェース３５を用いてモバイルデバイス２０に送信する（ステップＳ３０７）。
【００８０】
図９は、モバイルデバイスの第２の動作フローを示す。
【００８１】
モバイルデバイス２０の原稿忘れ通知受信部２０２は、原稿忘れ通知を、ネットワーク通信インターフェース２５を用いて管理サーバー３０から受信する（ステップＳ２１１）。すると、原稿忘れ通知受信部２０２は、原稿忘れ通知のメッセージを、表示装置２７に表示する（ステップＳ２１２）。
【００８２】
７．結語
【００８３】
ＭＦＰの原稿忘れをユーザーのモバイルデバイスに通知する技術としては、以下の技術を想定し得る。
【００８４】
１つの想定し得る技術によれば、ユーザーがＭＦＰを利用する前に、ユーザーが所持するモバイルデバイスとＭＦＰとが、ＢＬＥ通信を確立する。ＭＦＰに原稿がセットされた状態で、ＢＬＥ通信が確立したモバイルデバイスとＭＦＰとの距離が所定以上離れると、モバイルデバイスに、原稿忘れ通知を送信する。しかしながら、この技術によれば、ＢＬＥ通信を確立する必要があるため、ＭＦＰのリソース消費量が増え、ＭＦＰのＣＰＵに負荷が掛かる。パーソナルコンピューター等の典型的なコンピューターに比べ、ＭＦＰは、ＣＰＵが低スペックであったり、メモリーが低容量の機種もある。従って、ＭＦＰのリソース消費量の増加の抑制を図り、ＣＰＵ負荷の増加の抑制を図ることが望ましい。
【００８５】
これに対して、本実施形態によれば、ＭＦＰ１０は、原稿セット通知及び原稿セット解除通知を管理サーバー３０に送信し、その他は、原稿がセットされている期間中、ビーコンを定期的に発信するだけである。即ち、ＭＦＰ１０は、モバイルデバイス２０に対してビーコンを発信するだけに過ぎず、モバイルデバイス２０とのＢＬＥ通信の確立は不要である。従って、ＭＦＰ１０のリソース消費量の増加の抑制を図り、ＭＦＰ１０のＣＰＵ負荷の増加の抑制を図れる。
【００８６】
別の想定し得る技術によれば、ＭＦＰは、ログイン処理をするとき、今回のログイン処理時のユーザー識別情報と、前回のログイン／ログアウト処理時のユーザー識別情報とを比較する。ＭＦＰは、両ユーザー識別情報の不一致を判定すると、前回のログイン／ログアウト処理時のユーザーのモバイルデバイスに、原稿忘れ通知を送信する。しかしながら、この技術によれば、機能の利用にログイン認証を必要としないＭＦＰ（例えば、コンビニエンスストア等の公共の場に設置されるＭＦＰ）では、原稿を取り忘れたユーザー（のモバイルデバイス）が特定できないため、ユーザーのモバイルデバイスに原稿忘れ通知を送信できない。
【００８７】
これに対して、本実施形態によれば、管理サーバー３０は、１以上のモバイルデバイスから受信した１以上のビーコン受信通知に含まれる電波強度のうち、最も高い電波強度を受信したモバイルデバイス２０を、管理モバイルデバイス３１１として登録する。従って、機能の利用にログイン認証を必要としないＭＦＰ１０であっても、ＭＦＰ１０を利用するユーザーのモバイルデバイス２０を特定できる。ＭＦＰ１０のログイン認証を必要としないため、コンビニエンスストア等の公共の場に設置されるＭＦＰにも本実施形態は適用可能である。また、ユーザーのモバイルデバイス２０は、ＭＦＰ１０からビーコンを定期的に受信し、その電波強度等を管理サーバー３０に定期的に受信するに過ぎない。従って、ユーザーはモバイルデバイス２０を積極的に操作する必要が無い。
【００８８】
本実施形態によれば、管理サーバー３０は、ＭＦＰ１０から原稿セット通知を受信し、原稿セット解除通知を受信することで、ＭＦＰ１０を使用するユーザーのモバイルデバイス２０を判断する。要するに、管理サーバー３０は、多数のユーザーが利用するという性質を持つＭＦＰ１０を使用するユーザーのモバイルデバイス２０を、ログイン認証無しに、一義的に判断できる。また、管理サーバー３０は、ＭＦＰ１０から原稿セット通知受信後及び原稿セット解除通知受信前に、モバイルデバイス２０からのビーコン受信通知に含まれる電波強度が低くなることを判断することで、原稿忘れを判断し、モバイルデバイス２０に原稿忘れ通知を送信できる。
【００８９】
本技術の各実施形態及び各変形例について上に説明したが、本技術は上述の実施形態にのみ限定されるものではなく、本技術の要旨を逸脱しない範囲内において種々変更を加え得ることは勿論である。
【符号の説明】
【００９０】
管理システム１
ＭＦＰ１０
モバイルデバイス２０
管理サーバー３０
原稿セット管理部１０１
ビーコン制御部１０２
ビーコン受信通知送信部２０１
原稿忘れ通知受信部２０２
原稿管理制御部３０１
ユーザー管理部３０２
距離判断部３０３
原稿忘れ通知送信部３０４
【図１】
2019129334.tif 000003
【図２】
2019129334.tif 000004
【図３】
2019129334.tif 000005
【図４】
2019129334.tif 000006
【図５】
2019129334.tif 000007
【図６】
2019129334.tif 000008
【図７】
2019129334.tif 000009
【図８】
2019129334.tif 000010
【図９】
2019129334.tif 000011